(57)【要約】【課題】  ＲＦＩＤラベルのラベル上紙への印字不良及びＩＣチップの破壊や平面状アンテナの断線等の故障を抑制する。【解決手段】  ＲＦＩＤラベル８０のラベル上紙８２を連続紙とし、ラベル上紙８２とインレット８５との間に剥離剤層を設けてラベル上紙８２のみを剥離可能とする。ＲＦＩＤラベル発行プリンタではサーマルヘッド４２による印字と、リーダ／ライタ３０によるＩＣチップ８３に対する情報の書き込みや読み出しを、分離部２０によって分離されたラベル上紙８２とインレット８５とにそれぞれ行い、再度貼り合わせる。【選択図】  図１
2006150861.tif 000002
【特許請求の範囲】
【請求項１】
ＩＣチップとそれに接続した平面状のアンテナからなるインレットが粘着層を介して剥離可能に仮着される台紙と、この台紙のインレットが配置される面に前記インレットを覆うように仮着されるラベル上紙とを有するＲＦＩＤラベルを発行するＲＦＩＤラベル発行プリンタであって、
ロール状に巻回された前記ＲＦＩＤラベルを装着する供給軸を有する供給部と、
前記供給軸から繰り出された前記ＲＦＩＤラベルのラベル上紙のみを前記台紙から分離させる分離部と、
分離された前記ラベル上紙に対して印字を行うサーマルヘッドを有する印字部と、
前記台紙側に付着して搬送されるインレットのＩＣチップに対し前記アンテナを介して情報の書き込み／読み出しを行うリーダ／ライタと、
印字が行われた前記ラベル上紙と情報の書き込み／読み出しが行われたインレット付台紙とを再度貼り合わせつつ搬送ガイドする貼合ガイド部とを備え、
前記サーマルヘッドとリーダ／ライタとを、貼合ガイド部から前記分離部側にほぼ等距離の位置に配置したことを特徴とするＲＦＩＤラベル発行プリンタ。
【請求項２】
前記分離部は、前記ラベル上紙の上面側に位置する剥離部材と、この剥離部材に接する前記ラベル上紙を上方にガイドするガイドローラとを有し、
前記貼合ガイド部は、前記ラベル上紙と前記台紙とを上下から押圧しつつ搬送ガイドを行うガイドローラを有している
ことを特徴とする請求項１又は請求項２に記載のＲＦＩＤラベル発行プリンタ。
【請求項３】
ＩＣチップとそれに接続した平面状のアンテナからなるインレットが粘着層を介して剥離可能に仮着される台紙と、この台紙のインレットが配置される面に前記インレットを覆うように仮着されるラベル上紙とを有するＲＦＩＤラベルにおいて、
前記ラベル上紙は先端から終端まで一連の連続紙で構成し、前記インレットは、裏面側に粘着層を介して台紙に剥離可能に仮着されるとともに、表面側に剥離剤層がインレットを覆うように設けられ、前記ラベル上紙を台紙に対して鋭角に折り返し剥離するとインレットが台紙側に付着して残り、前記台紙をラベル上紙に対して鋭角に折り返し剥離するとインレットがラベル上紙側に付着して残ることを特徴とするＲＦＩＤラベル。
【発明の詳細な説明】
【技術分野】
【０００１】
本発明は、電波を使用し非接触でデータの書き込みと読み出しとが可能なＲＦＩＤ（Radio Frequency IDentification）ラベルの発行を行うＲＦＩＤラベル発行プリンタ及びＲＦＩＤラベルに関する。
【背景技術】
【０００２】
ＲＦＩＤは、ＩＣチップとそれに接続した平面状のアンテナから構成されるインレット（フィルム状の基板）を有している。ＩＣチップは、記憶部、電源整流部、送信部、受信部の４つに区分され、それぞれが働きを分担して通信を行うようになっている。記憶部の容量は、８〜２０００バイトであり、何度でもデータの書き換えが行える。
【０００３】
通信手順としては、平面状のアンテナがリーダライタからの電波を受信すると、共振作用により起電力が発生（電磁誘導等）し、ＩＣチップが起動してチップ内の情報を信号化し、アンテナから信号がリーダライタ側に発信される。リーダライタ側では、その信号をキャッチすると、データ処理を行うことで、ＲＦＩＤ側の情報を認識する。
【０００４】
ところで、ＩＣチップに記憶された内容は人間の視覚や従来のバーコードリーダでは読み取れないため、ＲＦＩＤをラベルやタグと一体化したＲＦＩＤラベルとし、そのラベルの表面に文字やバーコードを印字することで、人間の視覚、ＯＣＲ、バーコードリーダ等で読み取り可能とする利用形態が拡大しつつある。
【０００５】
一方、このＲＦＩＤラベル発行プリンタに印字を行うラベルプリンタは、印字手段の他にＲＦＩＤと通信する非接触通信手段（リーダライタ）を備えている。また、そのリーダライタは、通信用アンテナを有しており、この通信用アンテナを用いてＲＦＩＤのアンテナと通信し、ＩＣチップに情報を書き込んだり、ＩＣチップに記録された情報を読み取ったりしている。
【０００６】
ところで、このようなＲＦＩＤラベルに対してラベルプリンタにより、印字及びＩＣチップへの情報の書き込みを行う際、ＩＣチップに書き込むべき内容とラベルに印字すべき内容とを一致させる必要がある。
【０００７】
このような印字や情報の書き込み等を行うものとして、特許文献１では、用紙に設けられたＲＦＩＤタグへの読み込み／書き込みを行うＲＦＩＤ読み込み／書き込み装置及び用紙のラベルに印字を行うプリンタ装置を内蔵し、プリンタ装置によりＲＦＩＤ読み込み／書き込み装置で読み取られたＲＦＩＤタグからのデータに基づいてラベルに印字を行うようにしたＲＦＩＤ読み込み／書き込み装置付きプリンタを提案している。
【０００８】
【特許文献１】特開２００１−９６８１４号公報
【発明の開示】
【発明が解決しようとする課題】
【０００９】
上述した特許文献１に示されるＲＦＩＤラベル発行プリンタでは、ＲＦＩＤ読み込み／書き込み装置で読み取られたＲＦＩＤタグからのデータに基づいてラベルに印字を行うようにしているため、ＲＦＩＤタグに書き込まれた内容とプリンタ装置でラベルに印字される内容とを一致させることができる。
【００１０】
ところが、ＲＦＩＤのインレットは、上述したようにＩＣチップとそれに接続した平面状のアンテナから構成されているため、これらのＩＣチップや平面状のアンテナの厚みにより、印字すべきラベルの表面に凹凸が生じてしまい、印字カスレ等による印字不良を生じてしまうおそれがある。
【００１１】
また、インレット自体はＩＣチップや平面状のアンテナとほぼ同じ厚みがあるため、印字すべきラベルの表面のインレットの外周部分に相当する部分に段差を生じてしまい、上記同様に、印字不良を生じてしまうおそれがある。
【００１２】
しかも、ラベルへの印字の際はＩＣチップや平面状のアンテナに対して印字部のサーマルヘッド及びプラテンローラから熱や圧力が加わるため、ＩＣチップの破壊や平面状のアンテナの断線等によるＲＦＩＤの故障を生じてしまう可能性がある。
【００１３】
解決しようとする問題点は、ＲＦＩＤのＩＣチップ及び平面状のアンテナの厚みやインレット自体の厚みにより、印字すべきラベルの表面に凹凸や段差が生じて印字不良を生じてしまうおそれがあるという点や、印字の際にＩＣチップや平面状のアンテナに対して熱や圧力が加わり、ＩＣチップの破壊や平面状のアンテナ断線等によるＲＦＩＤの故障を生じてしまう可能性があるという点である。
【課題を解決するための手段】
【００１４】
本発明のＲＦＩＤラベル発行プリンタは、ＩＣチップとそれに接続した平面状のアンテナからなるインレットが粘着層を介して剥離可能に仮着される台紙と、この台紙のインレットが配置される面に前記インレットを覆うように仮着されるラベル上紙とを有するＲＦＩＤラベルを発行するＲＦＩＤラベル発行プリンタであって、ロール状に巻回された前記ＲＦＩＤラベルを装着する供給軸を有する供給部と、前記供給軸から繰り出された前記ＲＦＩＤラベルのラベル上紙のみを前記台紙から分離させる分離部と、分離された前記ラベル上紙に対して印字を行うサーマルヘッドを有する印字部と、前記台紙側に付着して搬送されるインレットのＩＣチップに対し前記アンテナを介して情報の書き込み／読み出しを行うリーダ／ライタと、印字が行われた前記ラベル上紙と情報の書き込み／読み出しが行われたインレット付台紙とを再度貼り合わせつつ搬送ガイドする貼合ガイド部とを備え、前記サーマルヘッドとリーダ／ライタとを、貼合ガイド部から前記分離部側にほぼ等距離の位置に配置したことを特徴とする。
また、前記分離部は、前記ラベル上紙の上面側に位置する剥離部材と、この剥離部材に接する前記ラベル上紙を上方にガイドするガイドローラとを有し、前記貼合ガイド部は、前記ラベル上紙と前記台紙とを上下から押圧しつつ搬送ガイドを行うガイドローラを有しているようにすることができる。
本発明のＲＦＩＤラベルは、ＩＣチップとそれに接続した平面状のアンテナからなるインレットが粘着層を介して剥離可能に仮着される台紙と、この台紙のインレットが配置される面に前記インレットを覆うように仮着されるラベル上紙とを有するＲＦＩＤラベルにおいて、前記ラベル上紙は先端から終端まで一連の連続紙で構成し、前記インレットは、裏面側に粘着層を介して台紙に剥離可能に仮着されるとともに、表面側に剥離剤層がインレットを覆うように設けられ、前記ラベル上紙を台紙に対して鋭角に折り返し剥離するとインレットが台紙側に付着して残り、前記台紙をラベル上紙に対して鋭角に折り返し剥離するとインレットがラベル上紙側に付着して残ることを特徴とする。
本発明のＲＦＩＤラベル発行プリンタでは、ＲＦＩＤラベルのラベル上紙に対するサーマルヘッドによる印字と、インレットに対する情報の書き込み／読み出しとを、同時に搬送されるラベル上紙とインレットに分離してそれぞれ行い、その後再度貼り合わせることにより、それぞれの情報を一致させることとした。
また、本発明のＲＦＩＤラベルは、ラベル上紙を先端から終端まで一連の連続紙で構成し、インレットの裏面側に粘着層を介して台紙に剥離可能に仮着されるとともに、インレットの表面側を覆うように剥離剤層を設けた。
ラベル上紙を一連の連続紙としたので、ラベル発行プリンタ内でラベル上紙とインレット付台紙を分離した後の搬送経路が異なっても、インレット付の台紙に対しラベル上紙が不足することなく貼り合わせることができる。
また、上記インレットは所定の厚みと堅さを兼ね備えているので、ラベル上紙を台紙に対して鋭角に折り返し剥離するとインレットは台紙側に付着して残り、一方、台紙をラベル上紙に対して鋭角に折り返し剥離するとインレットをラベル上紙側に付着して残すことができる。
したがって、本発明のＲＦＩＤラベル発行プリンタ内で搬送しながらラベル上紙とインレットが付着した台紙とに分離することができる一方、再度貼り合わせた後には、台紙側を手で剥離することによりラベル上紙とインレットとを一体化して目的物に貼り付けることができる。
【発明の効果】
【００１５】
本発明のＲＦＩＤラベル発行プリンタ及びＲＦＩＤラベルによれば、ＲＦＩＤラベルのラベル上紙に対する印字部のサーマルヘッドによる印字と、そのサーマルヘッドから搬送方向上流側ほぼ同距離に配置されたリーダ／ライタによるインレットのＩＣチップに対する情報の書き込み／読み出しを、独立して同時に行うことができる。
これにより、ラベル上紙への印字不良及びＩＣチップの破壊や平面状のアンテナ断線等によるＲＦＩＤの故障を抑制できる。
また、本発明のＲＦＩＤラベルは、本発明のラベル発行プリンタ内でラベル上紙とインレット付台紙とに分離して搬送し、それぞれに情報の印字や書き込み／読み取りをした後、これらを再度貼り合わせて各媒体の情報一致を図ることができる。
また、発行された後には、台紙側を手で剥離することによりラベル上紙とインレットとを一体化して目的物に貼り付けることができる。
【発明を実施するための最良の形態】
【００１６】
本実施形態では、ＲＦＩＤラベルのラベル上紙に対する印字部のサーマルヘッドによる印字と、そのサーマルヘッドに対向する位置にあるリーダ／ライタによるインレットのＩＣチップに対しての情報の書き込みや読み出しを、分離部によって供給部の供給軸から繰り出されるＲＦＩＤラベルのラベル上紙のみを台紙から分離させた状態で行わせるようにした。
【００１７】
その際、ラベル上紙の表面には、ＲＦＩＤのＩＣチップ及び平面状のアンテナの厚みやインレット自体の厚みによる凹凸や段差が生じないため、印字カスレ等を生じることなく確実な印字が行われる。また、リーダ／ライタによるインレットのＩＣチップに対しての情報の書き込みや読み出しは、サーマルヘッドからの熱や圧力が加わらない状態で行われるため、ＩＣチップの破壊や平面状のアンテナ断線等によるＲＦＩＤの故障が確実に抑制される。
【００１８】
また、サーマルヘッドとリーダ／ライタとは、互いに対向する位置にあるため、ラベル上紙に印字される内容とＩＣチップに書き込む内容とが１枚のＲＦＩＤラベル毎に一致する。
【００１９】
以下、本発明の実施の形態について説明する。
図１は、本発明のＲＦＩＤラベル発行プリンタの一実施形態を示す図、図２は、図１のＲＦＩＤラベルを示す斜視図、図３は、図２のＲＦＩＤラベルの１枚分を示す断面図、図４は、図１の制御部の詳細を示すブロック図である。
【００２０】
図に示すラベルプリンタは、主として、供給部１０、分離部２０、リーダ／ライタ３０、印字部４０、貼合ガイド部５０、カッター部６０、制御部７０を備えている。
【００２１】
供給部１０の供給軸１１には、ロール状に巻回されたＲＦＩＤラベル８０が装着されている。ＲＦＩＤラベル８０は、印字部４０のプラテンローラ４１及び貼合ガイド部５０の回転駆動により供給軸１１から繰り出され、リーダ／ライタ３０を経て印字部４０に移送される。
【００２２】
ここで、印字部４０のプラテンローラ４１及び貼合ガイド部５０は、後述のステッピングモータ９３の駆動力を受けて同期回転するようになっている。
【００２３】
分離部２０は、分離ローラ２１とガイドローラ２２とを有し、ＲＦＩＤラベル８０の後述のラベル上紙８２を剥離台紙８１から分離させる。この場合、分離ローラ２１（剥離部材）及びガイドローラ２２によってラベル上紙８２のみが上方に引き上げられるため、後述のインレット８５は剥離台紙８１側に残されることになるが、その詳細については後述する。
【００２４】
リーダ／ライタ３０の近傍には、用紙センサ３１が設けられており、この用紙センサ３１によってＲＦＩＤラベル８０の後述の剥離台紙８１の検出マーク８６が検出される。印字部４０は、用紙センサ３１が検出マーク８６を検出したタイミングに基づいて、印字を開始する。
【００２５】
印字部４０は、対向配置されたプラテンローラ４１とサーマルヘッド４２を有している。プラテンローラ４１とサーマルヘッド４２との間には、供給部１０から繰り出されたＲＦＩＤラベル８０のラベル上紙８２が供給される。
【００２６】
そして、サーマルヘッド４２の熱によりラベル上紙８２に対しての印字が行われる。なお、ラベル上紙８２に対しては、図示しないインクリボンを用い、インクを転写することで印字が行われるようにしてもよい。
【００２７】
リーダ／ライタ３０は、印字部４０のサーマルヘッド４２に対向する位置に配設されており、アンテナ３２を備えている。アンテナ３２は、ＲＦＩＤラベル８０の搬送通路に近接して配置されている。
【００２８】
リーダ／ライタ３０は、このアンテナ３２と、ＲＦＩＤラベル８０の後述のアンテナ８４とを介してＩＣチップ８３と通信し、ＩＣチップ８３に情報を書き込んだり、ＩＣチップ８３から情報を読み取ったりする。また、リーダ／ライタ３０は、印字部４０のサーマルヘッド４２に対向する位置に配設されているため、ＩＣチップ８３に書き込む内容がラベル上紙８２に印字される内容と一致するようになっている。
【００２９】
貼合ガイド部５０は、ガイドローラ５１，５２を有し、これらのガイドローラ５１，５２により分離部２０の分離ローラ２１によって分離されたＲＦＩＤラベル８０の後述のラベル上紙８２を上下から押圧して剥離台紙８１に貼り合わせつつ搬送ガイドを行う。また、これらのガイドローラ５１，５２は、プラテンローラ４１からの回転駆動力を図示しないタイミングベルトによって受けることにより、プラテンローラ４１と同期回転するようになっている。
【００３０】
貼合ガイド部５０の近傍には、可動刃６１と固定刃６２とを有するカッター部６０が設けられており、貼合ガイド部５０によって貼り合わされたＲＦＩＤラベル８０を１枚毎に切断する。切断された１枚毎のＲＦＩＤラベル８０は、取出口６３から取り出される。
【００３１】
制御部７０は、ＲＦＩＤラベル８０の発行指示に基づき、各部の動作を制御するものであるが、その詳細については後述する。
【００３２】
次に、ＲＦＩＤラベル８０について説明する。
図２及び図３に示すように、ＲＦＩＤラベル８０は、剥離台紙８１とラベル上紙８２との間に、ＩＣチップ８３とそれに接続した平面状のアンテナ８４から構成されるインレット（フィルム状の基板）８５が所定の間隔で配置されている。なお、アンテナ８４にあっては、図２のようにコイル状に限らず、ＵＨＦ帯で使用されるコイル状以外の形状であってもよい。
【００３３】
剥離台紙８１の下面には、上述した検出マーク８６が１枚のＲＦＩＤラベル８０毎に設けられている。また、剥離台紙８１の内側にはシリコン等からなる剥離層８７が形成されている。ラベル上紙８２の内側には粘着層８９が形成されており、ラベル上紙８２は粘着層８９を介して剥離台紙８１の剥離層８７上に仮着されている。また、インレット８５は、下面側に粘着層８８が形成されており、剥離層に埋設された状態で、剥離台紙８１上に配置されている。
【００３４】
次に、制御部７０について説明する。
図４に示すように、制御部７０は、ＣＰＵ７１、ＲＯＭ７２、ＲＡＭ７３、プラテン制御回路７４、ヘッド制御回路７５、用紙センサ制御回路７６、カッター制御回路７７、外部Ｉ／Ｆ７８、内部Ｉ／Ｆ７９、リーダ／ライタ制御回路７９ａを備えている。また、これらは、データバス７９ｂを介して相互に接続されている。
【００３５】
ＣＰＵ７１は、用紙センサ３１からの検出結果やＲＯＭ７２に格納されている制御プログラム等に基づいて、各部の動作を制御する。
【００３６】
ＲＯＭ７２には、制御プログラム、各種固定データ、制御テーブルデータ等が格納されている。ＲＡＭ７３には、フラグ、ワークエリア等が格納される。プラテン制御回路７４は、印字が行われる際、上述した貼合ガイド部５０のガイドローラ５１，５２とともにＲＦＩＤラベル８０をサーマルヘッド４２側に送る。ヘッド制御回路７５は、印字の際にサーマルヘッド４２の印字動作を制御する。
【００３７】
用紙センサ制御回路７６は、用紙センサ３１による検出動作を制御するとともに、用紙センサ３１からの検出結果をＣＰＵ７１に与える。カッター制御回路７７は、上述したカッター部６０の可動刃６１を上下動させるカッターモータ９４の駆動を制御する。外部Ｉ／Ｆ７８は、ＰＣ（パーソナルコンピュータ）９０からの印字に関わるデータ等を取り込んだり、ＲＦＩＤラベル発行プリンタ側のステータス情報等をＰＣ９０に送出したりする。
【００３８】
内部Ｉ／Ｆ７９は、ＲＦＩＤラベル発行プリンタ側に設けられている入力部９１からの入力情報をＣＰＵ７１に供給したり、表示部９２に表示させるためのステータス情報等を与えたりする。リーダ／ライタ制御回路７９ａは、リーダ／ライタ３０による上述したＩＣチップ８３への情報の書き込みやＩＣチップ８３からの情報の読み出しを制御する。
【００３９】
このような構成では、ＲＦＩＤラベル８０に対して、印字や情報の書き込み／読み出しが行われる場合、図１に示したように、印字部４０のプラテンローラ４１の回転駆動と、プラテンローラ４１と同期回転する貼合ガイド部５０のガイドローラ５１，５２による回転駆動により、ＲＦＩＤラベル８０が供給軸１１から繰り出される。
【００４０】
このとき、ＲＦＩＤラベル８０のラベル上紙８２は、図３で説明したように、粘着層８９を介して剥離台紙８１側に仮着されており、分離部２０の分離ローラ２１によって上方に引き上げられることで、剥離台紙８１側からの分離が容易に行われる。そして、ラベル上紙８２はガイドローラ２２によって印字部４０のサーマルヘッド４２側に搬送され、インレット８５は剥離台紙８１側に残されたままリーダ／ライタ３０側に搬送される。
【００４１】
ここで、ＲＦＩＤラベル８０の搬送中に用紙センサ３１により、剥離台紙８１側の検出マーク８６が検出されると、その検出したタイミングに基づいてサーマルヘッド４２によるラベル上紙８２への印字と、リーダ／ライタ３０によるＩＣチップ８３への情報の書き込みや、ＩＣチップ８３からの情報の読み取りが行われる。
【００４２】
この場合、サーマルヘッド４２によるラベル上紙８２への印字は、ラベル上紙８２がインレット８５から分離された状態で行われるため、ラベル上紙８２の印字面にインレット８５による凹凸や段差が無い状態での印字が行われる。
【００４３】
また、リーダ／ライタ３０側では、剥離台紙８１に残されているインレット８５がサーマルヘッド４２から離れるため、サーマルヘッド４２やプラテンローラ４１からの熱や圧力が無い状態で情報の書き込みや情報の読み取りが行われる。その際、リーダ／ライタ３０のアンテナ３２と、ＲＦＩＤラベル８０のアンテナ８４とを介してＩＣチップ８３との通信が行われることで、ＩＣチップ８３への情報の書き込みや、ＩＣチップ８３からの情報の読み取りが行われる。
【００４４】
また、リーダ／ライタ３０は、印字部４０のサーマルヘッド４２に対向する位置に配設されているため、ＩＣチップ８３に書き込む内容がラベル上紙８２に印字される内容と一致するようになっている。言い換えれば、１枚毎のＲＦＩＤラベル８０に対して、印字と情報の書き込み及び情報の読み取りがほぼ同時に行われることになる。
【００４５】
このようにして、個別に印字や情報の書き込み及び情報の読み取りが行われたラベル上紙８２と剥離台紙８１とは、貼合ガイド部５０のガイドローラ５１，５２により上下から押圧されて再度貼り合わされつつカッター部６０側に送られる。そして、カッター部６０の可動刃６１と固定刃６２とにより、ＲＦＩＤラベル８０が１枚毎に切断される。切断された１枚毎のＲＦＩＤラベル８０は、取出口６３から取り出される。
【００４６】
このように、本実施形態では、ＲＦＩＤラベル８０のラベル上紙８２に対する印字部４０のサーマルヘッド４２による印字と、そのサーマルヘッド４２に対向する位置にあるリーダ／ライタ３０によるインレット８５のＩＣチップ８３に対しての情報の書き込みや読み出しを、分離部２０によって供給部１０の供給軸１１から繰り出されるＲＦＩＤラベル８０のラベル上紙８２のみを台紙から分離させた状態で行わせるようにした。
【００４７】
これにより、ラベル上紙８２の表面には、ＩＣチップ８３及び平面状のアンテナ８４の厚みやインレット８５自体の厚みによる凹凸や段差が生じないため、印字カスレ等を生じることなく確実な印字が行われるようにすることができる。また、リーダ／ライタ３０によるＩＣチップ８３に対しての情報の書き込みや読み出しは、サーマルヘッド４２やプラテンローラ４１からの熱や圧力が加わらない状態で行われるため、ＩＣチップ８３の破壊や平面状のアンテナ８４の断線等によるＲＦＩＤの故障が確実に抑制されるようにすることができる。
【００４８】
また、サーマルヘッド４２とリーダ／ライタ３０とは、互いに対向する位置にあるため、ラベル上紙８２に印字される内容とＩＣチップ８３に書き込む内容とが１枚のＲＦＩＤラベル毎に一致するようにすることができる。
【００４９】
なお、上述したサーマルヘッド４２とリーダ／ライタ３０とは、図１のように、貼合ガイド部５０から分離部２０側にほぼ等距離の位置に配置されており、これによって、貼合ガイド部５０のガイドローラ５１，５２からサーマルヘッド４２及びリーダ／ライタ３０までの搬送距離がほぼ等しくなる。これにより、印字済みのラベル上紙８２が情報の書き込み／読み出しの行われたインレット８５に不足なく覆い被さるように貼貼り合わされる。
【００５０】
また、図１では、ラベル上紙８２の搬送経路が剥離台紙８１の搬送経路より長くなる場合を例示した。したがって、この場合のＲＦＩＤラベル８０は、ラベル上紙８２の先端、終端側が剥離台紙８１よりも長く形成されていることが好ましい。
【００５１】
また、剥離部材としては、分離ローラ２１に限らず、小径のピン、（板材やくさび状の）エッジ、小径のローラ等が使用可能である。すなわち、ラベル上紙８２を剥離台紙８１から剥離するには、ラベル上紙８２に急な角度を付けて折り返す（しごく）のが効果的であるためである。
【図面の簡単な説明】
【００５２】
【図１】本発明のＲＦＩＤラベル発行プリンタの一実施形態を示す図である。
【図２】図１のＲＦＩＤラベルを示す斜視図である。
【図３】図２のＲＦＩＤラベルの１枚分を示す断面図である。
【図４】図１の制御部の詳細を示すブロック図である。
【符号の説明】
【００５３】
１０  供給部
１１  供給軸
２０  分離部
２１  分離ローラ
２２  ガイドローラ
３０  リーダ／ライタ
３２  アンテナ
４０  印字部
４１  プラテンローラ
４２  サーマルヘッド
５０  貼合ガイド部
５１，５２  ガイドローラ
８０  ＲＦＩＤラベル
８１  剥離台紙
８２  ラベル上紙
８３  ＩＣチップ
８４  アンテナ
８５  インレット
８７  剥離層
８８，８９  粘着層
【図１】
2006150861.tif 000003
【図２】
2006150861.tif 000004
【図３】
2006150861.tif 000005
【図４】
2006150861.tif 000006